(57)【要約】【課題】生体情報を測定する端末装置によりロッカーの開施錠を可能にし、ロッカーに生体情報を表示するロッカーシステムを提供すること。【解決手段】ユーザーに装着される端末装置と、ユーザーの所有品を収納しロック構造を有するロッカーと、ユーザーに関するユーザー情報を管理するサーバーとを備えたロッカーシステムであって、サーバーは、ユーザーの本人認証を行い、端末装置は、ユーザーの生体情報を取得する生体情報取得部と、ユーザーの活動情報を取得する活動情報取得部と、ユーザーの本人認証を評価し評価結果を生成する認証評価部と、ロッカーは、評価結果との情報に基づいてロックを開錠し、端末装置との位置情報に基づいてロックを施錠する開施錠部と、評価結果との情報に基づいてユーザーの生体情報および活動情報を含むユーザー表示情報を表示するロッカー表示部と、を有するロッカーシステムを提供する。【選択図】図１
2016017331.tif 000002
【特許請求の範囲】
【請求項１】
ユーザーに装着される端末装置と、前記ユーザーの所有品を収納しロック構造を有するロッカーと、前記ユーザーに関するユーザー情報を管理するサーバーとを備えたロッカーシステムであって、
前記サーバーは、
前記ユーザーの本人認証を行い、認証した前記ユーザー固有のユーザーＩＤと、前記ユーザーが使用する前記ロッカーの識別子であるロッカー番号とを対応付ける初期認証部と、
前記ユーザーＩＤ毎に前記ユーザー情報を管理するユーザー管理部と、
前記ユーザー情報を記憶するサーバー記憶部と、
前記ユーザーＩＤを前記端末装置に送信するサーバー通信部とを有し、
前記端末装置は、
前記サーバーから送信された前記ユーザーＩＤおよび前記ロッカー番号を受信する端末通信部と、
前記ユーザーの生体情報を取得する生体情報取得部と、
前記ユーザーの活動情報を取得する活動情報取得部と、
前記ユーザーの本人認証を評価し評価結果を生成する認証評価部と、
前記ロッカー番号を表示する端末表示部とを有し、
前記ロッカーは、
前記端末装置から前記ロッカー番号と前記ユーザーＩＤと前記生体情報と前記活動情報と前記評価結果とを受信するロッカー通信部と、
前記ロッカー番号と前記ユーザーＩＤと前記評価結果との情報に基づいて前記ロック構造のロックを開錠し、前記端末装置との位置情報に基づいて前記ロック構造のロックを施錠する開施錠部と、
前記ロッカー番号と前記ユーザーＩＤと前記評価結果との情報に基づいて前記ユーザーの前記生体情報および前記活動情報のうち少なくともいずれか１つを含むユーザー表示情報を表示するロッカー表示部と、
を有することを特徴とするロッカーシステム。
【請求項２】
前記認証評価部は、前記生体情報および前記活動情報のうち少なくともいずれか１つの情報に基づいて、前記端末装置が非装着にされたか否かの情報、および非装着にされていた期間の情報を含む認証評価情報を収集し、前記認証評価情報に基づいて前記評価結果を生成すること特徴とする請求項１に記載のロッカーシステム。
【請求項３】
前記開施錠部は、前記評価結果における信頼度の割合に応じて、前記ロック構造のロックの開錠に係わる操作手順を決定することを特徴とする請求項１または請求項２のいずれかに記載のロッカーシステム。
【請求項４】
前記開施錠部は、前記端末装置と前記ロッカー番号によって対応付けられた前記ロッカーとの距離が所定距離を超えた場合に、前記ロック構造のロックを施錠することを特徴とする請求項１から請求項３のいずれか１項に記載のロッカーシステム。
【請求項５】
前記生体情報には、前記ユーザーの脈拍数情報、体温情報、体重情報、血圧情報および体脂肪情報のうち少なくともいずれか１つの情報が含まれていることを特徴とする請求項１から請求項４のいずれか１項に記載のロッカーシステム。
【請求項６】
前記活動情報には、前記ユーザーの活動量情報、位置情報、運動種別情報、および前記端末装置の装着圧情報のうち少なくともいずれか１つの情報が含まれていることを特徴とする請求項１から請求項５のいずれか１項に記載のロッカーシステム。
【請求項７】
ユーザーに装着される端末装置であって、
前記ユーザーの生体情報を取得する生体情報取得部と、
前記ユーザーの活動情報を取得する活動情報取得部と、
前記ユーザーの本人認証を評価し評価結果を生成する認証評価部と、
前記生体情報と前記活動情報と前記評価結果とを、前記ユーザーの所有品を収納するロッカーに送信する端末通信部と、
を備え、
前記認証評価部は、前記生体情報および前記活動情報のうち少なくともいずれか１つの情報に基づいて、前記ユーザーの前記端末装置の装着状態を判定し、前記装着状態の判定に基づいて認証評価結果を生成することを特徴とする端末装置。
【請求項８】
請求項７に記載の端末装置であって、
前記ユーザーの所有品を収納する前記ロッカーに対応する情報を表示する端末表示部を有することを特徴とする端末装置。
【請求項９】
ユーザーの所有品を収納しロック構造を備えるロッカーであって、
前記ユーザーの生体情報および活動情報のうち少なくともいずれか１つの情報を含むユーザー表示情報を表示するロッカー表示部と、
前記ユーザーの本人認証の評価結果に基づいて、前記ロック構造のロックを開錠する開施錠部と、
を備えることを特徴とするロッカー。
【請求項１０】
ユーザーに装着される端末装置と、前記ユーザーの所有品を収納しロック構造を有するロッカーと、前記ユーザーに関するユーザー情報を管理するサーバーとによって前記ユーザーの生体情報と活動情報のうち少なくともいずれか１つを含む運動情報を管理する運動管理方法であって、
前記サーバーが前記ユーザーの本人認証をする初期認証工程と、
前記端末装置が前記ユーザーの前記生体情報を取得する生体情報取得工程と、
前記端末装置が前記ユーザーの前記活動情報を取得する活動情報取得工程と、
前記端末装置が取得した前記運動情報に基づいて前記ユーザーの前記本人認証を評価し評価結果を生成する認証評価工程と、
前記ロッカーが前記評価結果に基づいて前記ロッカーのロック構造のロックを開施錠する開施錠工程と、
前記ロッカーが前記評価結果に基づいて前記ユーザーの前記運動情報を前記ロッカーの表示装置に表示するロッカー表示工程と、
を有することを特徴とする運動管理方法。
【請求項１１】
ユーザーの生体情報および活動情報のうち少なくともいずれか１つを含む測定情報を取得し、出力する端末装置と、
前記端末装置から出力された前記測定情報を取得し、前記測定情報に基づく情報を表示するロッカーと、を備え、
前記端末装置と前記ロッカーとが通信することで、前記ロッカーの施錠または開錠を行うことを特徴とするロッカーシステム。
【請求項１２】
請求項１１に記載のロッカーシステムであって、
前記端末装置および前記ロッカーの少なくともいずれか一方と通信可能なサーバーを備え、
前記サーバーは、前記ロッカーが取得した前記測定情報と、前記端末装置が前記ロッカーに出力した後に前記ユーザーから取得した前記測定情報とに基づいて前記ロッカーの施錠または開錠を行うことを特徴とするロッカーシステム。
【請求項１３】
請求項１１または請求項１２に記載のロッカーシステムであって、
前記ロッカーが表示する前記測定情報に基づく情報は、前記ユーザーの消費カロリー、活動距離、活動時間、およびランキング情報のうち少なくともいずれか１つを含むことを特徴とするロッカーシステム。
【請求項１４】
請求項１３に記載のロッカーシステムであって、
前記ランキング情報は、前記サーバーが、所定期間における前記ユーザーを含む利用者の間で複数の前記測定情報に基づく情報について比較を行った結果に関する情報であることを特徴とするロッカーシステム。
【請求項１５】
請求項１４に記載のロッカーシステムであって、
前記所定期間における前記ユーザーを含む利用者の間で複数の前記測定情報に基づく情報について比較を行った結果、もっとも順位が高い項目に関する情報を、前記ランキング情報として前記ロッカーに表示することを特徴とするロッカーシステム。
【発明の詳細な説明】
【技術分野】
【０００１】
本発明は、スポーツ施設等のロッカーシステム、端末装置、ロッカー、および運動管理方法に関する。
【背景技術】
【０００２】
フィットネスクラブやスポーツジムなどのスポーツ施設では、運動をするためのトレーニングウェアに着替える場所としてロッカールームの設備が常設されている。ロッカールームには、複数のロッカーが並べられており、ユーザーは施設から貸与された鍵を使ってロッカー扉を開錠し、着替えや携帯電話などの所有品の保管を行っていた。特許文献１に示すシステムでは、ロッカー番号が記憶されたＲＦＩＤ（Radio Frequency Identification）タグが鍵として設けられ、非接触でロッカー扉の開施錠を行い、施設内の体重計においては測定したユーザーの体重情報をロッカー番号と共に体重計内に記憶する体重計システムが知られていた。
【先行技術文献】
【特許文献】
【０００３】
【特許文献１】特開２０１１−１９１２３３号公報
【発明の概要】
【発明が解決しようとする課題】
【０００４】
しかしながら、特許文献１に記載のシステムでは、ユーザーの体重情報などの生体情報は施設に設置されている体重計などの測定機器に表示されるため、運動の途中や運動の終了時に当日の運動量や最終体重を確認するためには、都度、測定機器の設置場所まで行かなければならなかった。特に、ユーザーが、運動の途中や運動の終了時に着替えや携帯電話の着信確認などをするためにロッカールームに戻っている場合に、ロッカールームから出て、生体情報を測定した測定機器の設置場所まで出向くことは不便であった。
【課題を解決するための手段】
【０００５】
本発明は、上述の課題の少なくとも一部を解決するためになされたものであり、以下の形態または適用例として実現することが可能である。
【０００６】
［適用例１］本適用例に係わるロッカーシステムは、ユーザーに装着される端末装置と、前記ユーザーの所有品を収納しロック構造を有するロッカーと、前記ユーザーに関するユーザー情報を管理するサーバーとを備えたロッカーシステムであって、前記サーバーは、前記ユーザーの本人認証を行い、認証した前記ユーザー固有のユーザーＩＤと、前記ユーザーが使用する前記ロッカーの識別子であるロッカー番号とを対応付ける初期認証部と、前記ユーザーＩＤ毎に前記ユーザー情報を管理するユーザー管理部と、前記ユーザー情報を記憶するサーバー記憶部と、前記ユーザーＩＤを前記端末装置に送信するサーバー通信部とを有し、前記端末装置は、前記サーバーから送信された前記ユーザーＩＤおよび前記ロッカー番号を受信する端末通信部と、前記ユーザーの生体情報を取得する生体情報取得部と、前記ユーザーの活動情報を取得する活動情報取得部と、前記ユーザーの本人認証を評価し評価結果を生成する認証評価部と、前記ロッカー番号を表示する端末表示部とを有し、前記ロッカーは、前記端末装置から前記ロッカー番号と前記ユーザーＩＤと前記生体情報と前記活動情報と前記評価結果とを受信するロッカー通信部と、前記ロッカー番号と前記ユーザーＩＤと前記評価結果との情報に基づいて前記ロック構造のロックを開錠し、前記端末装置との位置情報に基づいて前記ロック構造のロックを施錠する開施錠部と、前記ロッカー番号と前記ユーザーＩＤと前記評価結果との情報に基づいて前記ユーザーの前記生体情報および前記活動情報のうち少なくともいずれか１つを含むユーザー表示情報を表示するロッカー表示部と、を有することを特徴とする。
【０００７】
本適用例によれば、端末装置はユーザーに装着され、ユーザーの生体情報や活動情報を取得する。サーバーは、ユーザーとロッカーとを対応付け、ロッカーは、対応付けられたユーザーの端末装置からユーザーの生体情報や活動情報を受信する。また、ロッカーは、ロッカー表示部を備え、ロッカー表示部は受信した生体情報や活動情報を表示する。
このような構成により、ユーザーは自身の生体情報や活動情報を確認するためには、ロッカールーム内の自身が使用しているロッカーの場所に居れば良く、ロッカールームから出て測定機器の設置場所まで出向く必要は無くなる。
従って、ロッカールームに設置されるユーザーが使用しているロッカーにおいてユーザーの生体情報や活動情報を確認できるロッカーシステムを提供することができる。
【０００８】
［適用例２］上記適用例に記載のロッカーシステムにおいて、前記認証評価部は、前記生体情報および前記活動情報のうち少なくともいずれか１つの情報に基づいて、前記端末装置が非装着にされたか否かの情報、および非装着にされていた期間の情報を含む認証評価情報を収集し、前記認証評価情報に基づいて前記評価結果を生成することが好ましい。
【０００９】
本適用例によれば、端末装置が生成した評価結果を用いて、ロッカーはロック構造の開施錠を制御することができる。例えば、端末装置が非装着にされ、非装着にされていた期間が一定期間以上であれば、端末装置が別のユーザーに所持された虞が少なからずともあるとして、ロッカーはロック構造を制御して開錠させないことができる。また、例えば、端末装置の装着が継続されていた場合は、端末装置は別のユーザーに装着された虞は極めて少ないため、ロッカーはロック構造を制御して自動開錠させることができる。このような構成により、安全性と利便性の両方を備えたロッカーシステムを提供することができる。
【００１０】
［適用例３］上記適用例に記載のロッカーシステムにおいて、前記開施錠部は、前記評価結果における信頼度の割合に応じて、前記ロック構造のロックの開錠に係わる操作手順を決定することが好ましい。
【００１１】
本適用例によれば、評価結果における信頼度の割合に応じて、開錠に係わる操作手順を決定するため、例えば、信頼度が高い場合は自動開錠することができ、ユーザーの利便性が高まる。また、例えば、信頼度が低い場合は容易に開錠しない操作とすることができ、ユーザーにとって安全性が高いロッカーシステムを提供することができる。
【００１２】
［適用例４］上記適用例に記載のロッカーシステムにおいて、前記開施錠部は、前記端末装置と前記ロッカー番号によって対応付けられた前記ロッカーとの距離が所定距離を超えた場合に、前記ロック構造のロックを施錠することが好ましい。
【００１３】
本適用例によれば、ロッカーの開施錠部は端末装置が所定距離を超えた場合に施錠されるため、盗難の虞が少なくなり、ユーザーにとって安全性が高いロッカーシステムを提供する。
【００１４】
［適用例５］上記適用例に記載のロッカーシステムにおいて、前記生体情報には、前記ユーザーの脈拍数情報、体温情報、体重情報、血圧情報および体脂肪情報のうち少なくともいずれか１つの情報が含まれていることが好ましい。
【００１５】
本適用例によれば、ロッカーのロッカー表示部に、多様な生体情報を表示することができ、ユーザーが実施した活動状況の把握や振り返りをすることができる。
【００１６】
［適用例６］上記適用例に記載のロッカーシステムにおいて、前記活動情報には、前記ユーザーの活動量情報、位置情報、運動種別情報、および前記端末装置の装着圧情報のうち少なくともいずれか１つの情報が含まれていることが好ましい。
【００１７】
本適用例によれば、ロッカーのロッカー表示部に、多様な活動情報を表示することができ、ユーザーが実施した活動状況の把握や振り返りをすることができる。
【００１８】
［適用例７］本適用例に係わる端末装置は、ユーザーに装着される端末装置であって、前記ユーザーの生体情報を取得する生体情報取得部と、前記ユーザーの活動情報を取得する活動情報取得部と、前記ユーザーの本人認証を評価し評価結果を生成する認証評価部と、前記生体情報と前記活動情報と前記評価結果とを、前記ユーザーの所有品を収納するロッカーに送信する端末通信部と、を備え、前記認証評価部は、前記生体情報および前記活動情報のうち少なくともいずれか１つの情報に基づいて、前記ユーザーの前記端末装置の装着状態を判定し、前記装着状態の判定に基づいて認証評価結果を生成することを特徴とする。
【００１９】
本適用例によれば、ユーザーに装着される端末装置は、ユーザーの生体情報および活動情報、およびユーザーの本人認証を評価する評価結果をロッカーに送信する。端末装置から評価結果を受信したロッカーは、評価結果に基づいて、ユーザーの所有品の管理方法を選択することが可能である。例えば、評価結果の内容がユーザーの本人認証における信頼度が低いという情報であれば、ロッカーはロックを開錠しない状態（施錠したまま）にすることが可能である。
また、ロッカーは、ユーザーの生体情報および活動情報を受信することで、受信した生体情報および活動情報をユーザーに報知することができる。例えば、ロッカーが表示装置を備え、ユーザーの生体情報および活動情報を表示することができ、ユーザーが実施した活動状況の把握や振り返りをすることができる。
このような端末装置によれば、ユーザーは、自身の生体情報および活動情報をロッカールームで確認することができる。また、端末装置が送信した評価結果により、ロッカー側でユーザーの所有品を安全に管理することが可能になる。
【００２０】
［適用例８］本適用例に係わる端末装置は、前記ユーザーの所有品を収納する前記ロッカーに対応する情報を表示する端末表示部を有することを特徴とする。
【００２１】
本適用例によれば、端末表示部に表示された情報によりユーザーは自身が利用しているロッカーを容易に見つけることができる。
【００２２】
［適用例９］本適用例に係わるロッカーは、ユーザーの所有品を収納しロック構造を備えるロッカーであって、前記ユーザーの生体情報および活動情報のうち少なくともいずれか１つの情報を含むユーザー表示情報を表示するロッカー表示部と、前記ユーザーの本人認証の評価結果に基づいて、前記ロック構造のロックを開錠する開施錠部と、を備えることを特徴する。
【００２３】
本適用例によれば、ロッカーは、ユーザーの生体情報および活動情報をロッカー表示部に表示することができる。また、本人認証の評価結果に基づいて、ロッカーのロック構造を開錠することができる。
従って、このようなロッカーによれば、ユーザーは、使用しているロッカーの場所で自身の生体情報や活動情報を確認することができ、またユーザーは、自身の所有品を安全に管理することができる。
【００２４】
［適用例１０］本適用例に係わる運動管理方法は、ユーザーに装着される端末装置と、前記ユーザーの所有品を収納しロック構造を有するロッカーと、前記ユーザーに関するユーザー情報を管理するサーバーとによって前記ユーザーの生体情報と活動情報のうち少なくともいずれか１つを含む運動情報を管理する運動管理方法であって、前記サーバーが前記ユーザーの本人認証をする初期認証工程と、前記端末装置が前記ユーザーの前記生体情報を取得する生体情報取得工程と、前記端末装置が前記ユーザーの前記活動情報を取得する活動情報取得工程と、前記端末装置が取得した前記運動情報に基づいて前記ユーザーの前記本人認証を評価し評価結果を生成する認証評価工程と、前記ロッカーが前記評価結果に基づいて前記ロッカーのロック構造のロックを開施錠する開施錠工程と、前記ロッカーが前記評価結果に基づいて前記ユーザーの前記運動情報を前記ロッカーの表示装置に表示するロッカー表示工程と、を有することを特徴とする。
【００２５】
本適用例によれば、生体情報取得工程と活動情報取得工程によって取得された運動情報をロッカー表示工程によってロッカーの表示装置に表示することができる。また、初期認証工程によって本人認証されたユーザーを、ユーザーが装着している端末装置の認証評価工程によって評価結果を生成している。ロッカーの開施錠工程では、評価結果に基づいてロックを開施錠し、ロッカー表示工程では評価結果に基づいて運動情報を表示する。
従って、運動管理方法は、ユーザーが使用しているロッカーにおいて、ロッカーの表示装置に表示されるユーザー自身の運動情報を確認することができる。更に、ロッカーに収納した所有品を安全に管理することができる。
【００２６】
［適用例１１］本適用例に係わるロッカーシステムは、ユーザーの生体情報および活動情報のうち少なくともいずれか１つを含む測定情報を取得し、出力する端末装置と、前記端末装置から出力された前記測定情報を取得し、前記測定情報に基づく情報を表示するロッカーと、を備え、前記端末装置と前記ロッカーとが通信することで、前記ロッカーの施錠または開錠を行うことを特徴とする。
【００２７】
本適用例によれば、ユーザーは、測定した自身の測定情報により自身が利用するロッカーを開施錠することができ、ロッカーに収納した所有品を安全に管理することができる。また、ユーザーは、ロッカーにおいて測定情報を表示することができ、ユーザーが実施した活動状況の把握や振り返りをすることができる。
【００２８】
［適用例１２］本適用例に係わるロッカーシステムは、前記端末装置および前記ロッカーの少なくともいずれか一方と通信可能なサーバーを備え、前記サーバーは、前記ロッカーが取得した前記測定情報と、前記端末装置が前記ロッカーに出力した後に前記ユーザーから取得した前記測定情報とに基づいて前記ロッカーの施錠または開錠を行うことを特徴とする。
【００２９】
本適用例によれば、施錠されたロッカーは、施錠したユーザーの測定情報によって開錠することができる。
【００３０】
［適用例１３］本適用例に係わるロッカーシステムでは、ロッカーが表示する前記測定情報に基づく情報は、前記ユーザーの消費カロリー、活動距離、活動時間、およびランキング情報のうち少なくともいずれか１つを含むことを特徴とする。
【００３１】
本適用例によれば、ユーザーは、ロッカーが備えられるロッカールームにおいて、自身の活動に係わる情報を確認することができ、ユーザーが実施した活動状況の把握や振り返りをすることができる。
【００３２】
［適用例１４］本適用例に係わるロッカーシステムでは、前記ランキング情報は、前記サーバーが、所定期間における前記ユーザーを含む利用者の間で複数の前記測定情報に基づく情報について比較を行った結果に関する情報であることを特徴とする。
【００３３】
本適用例によれば、ユーザーは、ランキング情報を確認することにより、客観的に自身が実施した活動状況の把握や振り返りをすることができる。
【００３４】
［適用例１５］本適用例に係わるロッカーシステムでは、前記所定期間における前記ユーザーを含む利用者の間で複数の前記測定情報に基づく情報について比較を行った結果、もっとも順位が高い項目に関する情報を、前記ランキング情報として前記ロッカーに表示することを特徴とする。
【００３５】
本適用例によれば、ユーザー自身のランキング情報内で相対的に優れている情報が選択されて表示されるため、ユーザーのプラス思考を助長し、ユーザーの運動意欲や活動意欲を更に高めることができる。
【図面の簡単な説明】
【００３６】
【図１】実施形態１に係わるロッカーシステムの概要を表す説明図。
【図２】ロッカーシステムの概略構成を示すブロック図。
【図３】（ａ）認証評価テーブルの一例を示す図、（ｂ）開錠動作定義テーブルの一例を示す図。
【図４】サーバーによる初期認証処理の一部を示すフローチャート図。
【図５】端末装置による認証評価処理の一部を示すフローチャート図。
【図６】ロッカーによる開施錠処理の一部を示すフローチャート図。
【図７】ロッカー表示部の表示例を表す図。
【図８】変形例１におけるロッカーシステムの概要を表す説明図。
【発明を実施するための形態】
【００３７】
以下、本発明の実施形態について説明する。なお、以下に説明する実施形態は、特許請求の範囲に記載された本発明の内容を不当に限定するものではない。また本実施形態で説明される構成の全てが、本発明の必須構成要件であるとは限らない。
【００３８】
（実施形態１）
図１は、実施形態１に係わるロッカーシステム１の概要を表す説明図である。図７は、ロッカー表示部の表示例を表す図である。まず、本実施形態に係わるロッカーシステム１の概要について説明する。
【００３９】
（ロッカーシステム１の概要）
図１に示すローカーシステム１は、フィットネスクラブやスポーツジムなどの施設で利用されるシステムである。ロッカーシステム１は、ユーザーの着替えや貴重品等の所有品を収納するロッカー２０と、施設内において常時ユーザーに装着され運動時の脈拍数や消費カロリーなどの情報を測定する端末装置１０と、ユーザーの各種情報を管理するサーバー３０とを有して構成されている。
サーバー３０およびロッカー２０は、施設内のＬＡＮ（Local Area Network）であるネットワーク５を介して接続されている。送受信機３は、ネットワーク５上で送受信される有線信号を無線信号に変換し、無線通信７を介して端末装置１０と通信を可能にする。また、端末装置１０とロッカー２０は、近距離無線８を介して双方向に各種データ通信を行う。
【００４０】
端末装置１０は、人体の手首２などに装着され内蔵するセンサー部１４０を手首２に接触させることにより、ランニングやエアロビクスなどの運動時における様々な動作の中であっても正確に脈拍数や活動量などの生体情報や活動情報を測定することができる腕時計型の測定機器である。また、端末装置１０は、近距離無線８を介して、ユーザーが使用するロッカー２０の開施錠を指示する腕時計型の電子錠の機能を有している。端末装置１０は、スイミングプールやシャワーなどの水中においても常時装着して生体情報や活動情報を測定できるように防水構造を有している。
サーバー３０では、端末装置１０とユーザーが使用するロッカー２０との対応付けが行われ、対応付けされたロッカー２０のロッカー番号２５１が端末装置１０に送信される。端末装置１０は、受信したロッカー番号２５１をＥＰＤ（Electrophoretic Display）などの表示装置であるロッカー番号表示部１５１に表示する。
ロッカー２０は、制御部２１０（後述する）を備え、制御部２１０により制御されるロック構造部２１３、表示部２５０、通信部２８０を有して構成されている。ロッカー２０は、ロッカー２０の識別子であるロッカー番号２５１と対応付けられた端末装置１０が近接すると、通信部２８０を制御して近距離無線８により通信を行い、端末装置１０を装着するユーザーが本人であることが認証されるとロック構造部２１３のロックを開錠する。
ロッカー２０の表示部２５０には、端末装置１０から送信されたユーザーの生体情報や活動情報など、およびサーバー３０から送信されたユーザーに有益なトレーニング情報などの情報が表示される。図７（ａ）に示す表示画面Ｄ１０は、端末装置１０が運動開始前に初めてロッカー２０を開錠したときに表示される画面例であり、図７（ｂ）に示す表示画面Ｄ２０は、当日の運動量などの身体情報が表示される画面例である。表示画面Ｄ１０では、サーバー３０側でユーザーのために選択した「本日のおすすめプログラム」の情報が表示され、表示画面Ｄ２０では、当日運動した消費カロリーや最大脈拍数などの情報が表示されている。
【００４１】
以上のようなロッカーシステム１の構成では、ユーザーは、フィットネスクラブの受付などで端末装置１０が貸与されると端末装置１０を手首２に装着する。ロッカールームに移動しロッカー番号表示部１５１に表示されたロッカー２０に端末装置１０を近接させるとロッカー２０が開錠される。ロッカー２０の表示部２５０にはユーザーに有益な情報が表示される。ユーザーは、運動の途中や運動の終了時にロッカールームにおいて、当日の運動量などの収集情報を自身が使用するロッカー２０の表示部２５０に表示させ、確認することができる。
このような効果を実現するためのロッカーシステム１の構成について、以下詳細に説明する。
【００４２】
尚、本システムは、フィットネスクラブやスポーツジムなどの施設に限定されず、ユーザーが運動しロッカーが備えられる他の施設としてスイミングプールやランニングステーションなどにおいても好適である。また、病院などのリハビリーテーションが行われる施設や、温浴施設などのような身体活動が行われ、ロッカーが備えられている施設においても好適である。
【００４３】
（ロッカーシステム１の構成）
図２は、ロッカーシステム１の概略構成を示すブロック図である。
ロッカーシステム１は、端末装置１０、ロッカー２０、サーバー３０などから構成されている。
ロッカー２０およびサーバー３０はネットワーク５経由で接続されており、ネットワーク５には送受信機３が接続されている。ネットワーク５は、例えばイントラネットでありＩＰ（Internet Protocol）を用いてデータの送受信を行い、送受信機３は有線信号を無線信号に変換してデータの送受信を行う。送受信機３と端末装置１０は、無線通信７を介してデータの送受信を行う。端末装置１０とロッカー２０との間は、それぞれが備える通信部１８０、通信部２８０により近距離無線８においてデータの送受信を行うことも可能である。また、送受信機３は、ロッカー２０に含まれる構成であっても良い。
【００４４】
（端末装置１０の構成）
端末装置１０は、制御部１１０、記憶部１２０、センサー部１４０、表示部１５０、操作部１６０、時計部１７０、および通信部１８０などから構成されている。
【００４５】
制御部１１０は、ＣＰＵ（Central Processing Unit）やＤＳＰ（Digital Signal Processor）等のプロセッサーを有して構成され、端末装置１０の各部を統括的に制御する制御装置および演算装置である。制御部１１０は、記憶部１２０に記憶された各種プログラムに従って端末装置１０の各種機能を実現する。
制御部１１０は、例えば、生体情報測定部１１１、活動情報測定部１１３、および認証評価部１１５を機能部として有する。但し、これらの機能部はあくまでも一例であり、必ずしも全ての機能部を必須要件としなくても良い。また、これら以外の機能部を構成しても良い。
【００４６】
生体情報測定部１１１は、ユーザーの脈拍数や血圧、体温などのいわゆる生体情報を測定する。詳しくは、センサー部１４０から出力された生体信号から生体情報を算出し記憶部１２０に格納する。センサー部１４０は、ユーザーが操作部１６０を操作したり、端末装置１０がユーザーの手首２に装着すると制御部１１０の制御により駆動し、時計部１７０により計時されるサンプリング期間毎に生体信号が出力される。生体情報測定部１１１は、生体信号を入力して生体情報を一定期間毎に算出し、算出された生体情報を逐次記憶部１２０に生体情報データ１２５として格納する。例えば、センサー部１４０を構成する脈波センサーにより出力される脈波信号には運動時における体動が重畳されているため、後述する加速度センサーの出力信号を用いて体動に係わるノイズを除去する公知の演算方法を利用して脈拍数情報を算出する。
尚、生体情報測定部１１１は、生体情報取得部に相当する。
【００４７】
活動情報測定部１１３は、ユーザーの動作や運動に係わる活動情報を測定する。詳しくは、センサー部１４０から出力された物理量信号から様々な活動情報を算出し記憶部１２０に格納する。物理量信号を出力するセンサー部１４０には、加速度センサー、ジャイロセンサー、気圧センサー、手首２と端末装置１０の装着圧を検出する圧力センサー、ＧＰＳなどの位置センサーなどがあり、活動量情報、位置情報、運動種別情報、装着圧情報を算出し記憶部１２０に活動情報データ１２７として格納する。
尚、活動情報測定部１１３は、活動情報取得部に相当する。
また、生体情報および活動情報はそれぞれ測定情報に相当する。
【００４８】
活動量情報は、たとえば端末装置１０を装着しているユーザーの消費カロリーの情報であり、生体情報測定部１１１で測定された脈拍数を用いて消費カロリーを算出する。詳しくは、脈拍数の変化と酸素摂取量の変化との相関関係を用いて運動強度を算出し運動強度に対応する消費カロリーを算出する。尚、消費カロリーの算出方法においては、加速度センサーやジャイロセンサーからの出力信号も用いる方法であっても良い。詳しくは、加速度センサーとジャイロセンサーから出力される体動に伴う加速度信号の変化量や強さから運動強度を算出し、その運動強度に対応する消費カロリーを算出することができる。
【００４９】
位置情報は施設内における位置情報であり、移動距離と移動方向を求めることにより算出される。移動距離は、加速度センサーから出力される水平方向の加速度信号を積分して算出される。移動方向は、ジャイロセンサーから出力される角速度信号から算出される回転量を用いて求められる。算出された移動距離と移動方向の情報から施設内における端末装置１０の位置情報が一定時間ごとに算出され、記憶部１２０に格納される。また、ＧＰＳなどによって位置情報を算出しても良いし、これらを組み合わせて施設内でのユーザーの位置情報を取得するように構成しても良い。
【００５０】
運動種別情報は、端末装置１０を装着しているユーザーの行動の内容を表す情報であり、休憩中、歩行中、ランニング中、エアロビクス中、スイミング中などといった様々な行動種別のデータである。加速度センサーおよびジャイロセンサーから出力された加速度信号と角速度信号の変化データを多方面の観点で分析し、様々な行動種別のパターンと比較しマッチングが取れたところで行動種別を決定する。また、ユーザーが施設内で使用する機器に対応付けて運動種別を決定したり、ユーザーが操作部１６０を操作して運動種別を入力するように構成しても良い。決定された行動種別は時系列に記憶部１２０に記憶される。
【００５１】
装着圧情報は、端末装置１０が手首２に装着されているか否かの情報であり、端末装置１０と手首２との間の押圧力信号を用いて算出される。センサー部１４０の圧力センサーから出力される押圧力信号の変化を検出し、一定の押圧力よりも少なくなった場合に、端末装置１０が外されたと判定し、一定の押圧力以上である場合は装着されていると判定する。算出された装着状態および非装着状態の情報は、時系列に記憶部１２０に記憶される。
【００５２】
尚、装着圧情報は、圧力センサーを用いずに、加速度センサーや脈波センサーを用いて装着圧情報が算出されたとしても良い。例えば、ユーザーが端末装置１０を手首２に装着したことを検出する場合は、加速度センサーから入力される加速度の変化量と、脈波センサーから入力される脈波信号や脈拍数を参照する。具体的には、加速度の変化量が略ゼロの状態からある一定の変化量に変化した状態、脈拍数が測定できない状態から脈拍数が測定できた状態に変化した状態の両者の変化した状態が略同じタイミングで発生した場合は、ユーザーが端末装置１０を手首２に装着した操作（装着操作または装着状態）であると判定する。一方で、ユーザーが端末装置１０を手首２から外して放置している状態（放置状態）を検出する場合は、例えば、脈波センサーや加速度センサーから出力される生体情報および活動情報に基づいて特開２０１２−１７０７０２号公報に記載されているような方法により実現できる。
【００５３】
認証評価部１１５は、端末装置１０を装着しているユーザーの本人認証を評価する。本人認証の評価とは、端末装置１０を貸与されたユーザー以外の人物が、装着または使用していないかを確認する目的で行われる。つまり、端末装置１０を貸与されたユーザーは、受付において、ユーザーの本人認証がされている。認証評価部１１５では、ロッカー２０を利用するタイミングで、ユーザーの本人認証を評価する。
【００５４】
ユーザーの本人認証は、端末装置１０がユーザーに貸与されたときに、サーバー３０の初期認証部３１１（後述する）により行われている。初期認証部３１１は、本人認証されたユーザーに固有のユーザーＩＤを発行し、ユーザーが使用するロッカー番号を決定する。ユーザーＩＤおよびロッカー番号は端末装置１０の記憶部１２０に、それぞれユーザーＩＤデータ１２１、ロッカー番号データ１２４として格納されている。
【００５５】
認証評価部１１５では、端末装置１０に格納されたユーザーＩＤを有する人物と、端末装置１０を装着している人物とが同一人物であるか否かを評価する。具体的には、記憶部１２０に格納された活動情報データ１２７の装着圧情報を認証評価テーブル１３３に示す条件と比較して、同一人物であるかどうかの信頼度を導出する。導出された信頼度は、認証評価部１１５から出力される認証評価結果である。
【００５６】
図３（ａ）は、認証評価テーブル１３３の一例を示す図である。脱着有無１３３１は、端末装置１０が脱着されたか否かを有無で表しており、脱時間１３３３は、端末装置１０を外していた時間の合計時間を表している。信頼度１３３７は、本人である信頼度を割合で表し、１００％であれば本人である信頼度が高い。認証評価テーブル１３３の１行目では、脱着有無１３３１が「無」であれば、信頼度は１００％である。つまり、ユーザーは１度も端末装置１０を外していない（非装着にしていない）ため、同一人物が端末装置１０を継続して装着していたことを示し、本人である信頼度は「１００％」である。２行目では、脱着有無１３３１が「有」で、脱時間１３３３が「３分以内」である。つまり、ユーザーは、端末装置１０を何らかの理由で外して（非装着にして）、外していた時間の合計は３分以内であったことを示し、３分という短時間の間に他の人物が端末装置１０を装着している可能性がある。そのために、本人である信頼度を「５０％」としている。３行目では、脱着有無１３３１は「有」で、脱時間１３３３が「３分超」である。つまり、ユーザーが端末装置１０を外していた３分間を超える時間においては、ユーザーは端末装置１０を外して、放置していた可能性が高く、悪意を持った他の人物に端末装置１０が装着された虞がある。従って、本人である信頼度は「０％」として定義されている。
【００５７】
認証評価部１１５では、記憶部１２０に格納された活動情報データ１２７の装着圧情報から、脱着有無１３３１、脱時間１３３３を取得し、認証評価テーブル１３３の定義内容に基づいて信頼度１３３７を導出し、評価結果とする。評価結果は、記憶部１２０に評価結果データ１３１として格納される。
認証評価テーブル１３３における条件は、あくまでも一例であり、条件を更に追加しても良い。信頼度１３３７においても０％から１００％の間を更に多段階に定義しても良い。
尚、認証評価部１１５は、認証評価部に相当する。
【００５８】
記憶部１２０は、ＲＯＭ（Read Only Memory）やフラッシュＲＯＭ、ＲＡＭ（Random Access Memory）等の記憶装置によって構成され、制御部１１０の各機能部を実現するための各種プログラム、データ等を記憶している。また、各種処理の処理中データや変数の値、処理結果などを一時的に記憶するワークエリアを有する。
記憶部１２０には、ユーザーＩＤデータ１２１、ユーザー基本データ１２３、ロッカー番号データ１２４、生体情報データ１２５、活動情報データ１２７、評価結果データ１３１、認証評価テーブル１３３などが格納（記憶）されている。
【００５９】
ユーザーＩＤデータ１２１は、サーバー３０において発行されたユーザーＩＤが格納されているデータファイルである。
ユーザー基本データ１２３は、サーバー３０において管理されるユーザーＩＤに対応するユーザー基本データ３２７の一部の情報、およびユーザーＩＤが示すユーザーの年齢、性別、身長、体重などが格納されているデータファイルである。
ロッカー番号データ１２４は、サーバー３０において発行されたユーザーＩＤのユーザーが使用するロッカー番号が格納されているデータファイルである。
【００６０】
生体情報データ１２５は、端末装置１０が測定した生体情報が格納されているデータファイルである。生体情報には、端末装置１０を装着中に一定期間毎（例えば１秒から４秒間隔）に測定された脈拍数情報や、他の測定機器から取得された体温情報、体重情報、血圧情報、体脂肪情報などの生体情報が、他の測定機器により測定された時刻情報と共に格納されている。
活動情報データ１２７は、端末装置１０が測定した活動情報が格納されているデータファイルである。活動情報には、活動量情報、位置情報、運動種別情報、装着圧情報が一定期間毎（例えば１秒から４秒間隔）に格納されている。
【００６１】
評価結果データ１３１は、認証評価部１１５から出力される評価結果が格納されているデータファイルである。
認証評価テーブル１３３は、本人認証を評価する条件が定義されたテーブルである。認証評価テーブル１３３は、予め端末装置１０の記憶部１２０に格納されている。また、予め格納された認証評価テーブル１３３の条件は、端末装置１０を利用している最中にサーバー３０からの指示により変更、更新される構成であっても良い。
【００６２】
センサー部１４０は、脈波センサー、加速度センサー、ジャイロセンサー、圧力センサーなどから構成される。
脈波センサーは、端末装置１０がユーザーの手首２に装着された状態で、端末装置１０の手首側の面に設けられ、手首２に近接することでユーザーの脈拍数を測定する。具体的には、脈波センサーは、発光素子と受光素子とを備える光電センサーにより構成されており、発光素子から生体に向かって光を照射させ、血管で反射された反射光を受光素子により受光する。脈波センサーは、血管の拡張時と縮小時とで光の反射率が異なる現象を利用してユーザーの脈波を検出する。脈波センサーは、検出された脈波のデータを周波数分解処理し各周波数の信号強度値を分析し、脈波に相当する周波数スペクトルを特定する。そして、脈波の周波数スペクトルの周波数から脈拍数を算出する。尚、脈波センサーは、上述の光電センサーに限らず、超音波により血管の収縮を検出して脈拍数を測定する超音波センサーを採用しても良く、電極から微弱電流を体内に流して脈拍数を測定するセンサー等を採用しても良い。
【００６３】
加速度センサーは、略直交する３軸方向の加速度を検出するＭＥＭＳ（Micro Electro Mechanical Systems）センサーであり、各軸の加速度変化をサンプリング間隔毎に計測し、加速度信号を生成する。サンプリング間隔は例えば１６Ｈｚ以上に設定される。加速度信号は、活動情報測定部１１３または生体情報測定部１１１に出力されユーザーの活動情報の算出や脈拍数の算出に用いられる。
【００６４】
ジャイロセンサーは、略直交する３軸を中心軸とした角速度を検出するＭＥＭＳセンサーであり、各軸を中心とした角速度の変化をサンプリング間隔毎に計測し角速度信号を生成する。サンプリング間隔は例えば１６Ｈｚ以上に設定される。角速度信号は、活動情報測定部１１３に出力され端末装置１０を装着しているユーザー身体の傾きや回転移動方向や傾きなどの算出に用いられる。
【００６５】
圧力センサーは、端末装置１０がユーザーの手首２に装着された場合に生じる圧力を感圧素子で計測し電気信号を出力する。出力された電気信号を押圧力信号に変換し、装着圧情報の算出に用いられる。尚、圧力センサーは、脈波センサーが手首２に接触した場合に、効率良く反射光を受光するための接触圧に調整する用途にも用いられている。
【００６６】
表示部１５０は、ロッカー番号表示部１５１、複数個のＬＥＤ（Light Emitting Diode）などの発光素子などから構成される。
ロッカー番号表示部１５１は、好適例としてはＥＰＤで構成され、ロッカー番号などの表示を更新可能で低消費電力または無電力供給で一定時間は表示状態を継続可能な表示装置である。ロッカー番号表示部１５１は、有機ＥＬ（Electro Luminescence）や液晶ディスプレイやドットマトリクス状に配置された複数のＬＥＤで構成されていても良い。
ＬＥＤは、複数個の複数色を発光するＬＥＤであり、例えば、端末装置１０の手首２と対面側に１列に配置して備えられる。ユーザーは、発光されているＬＥＤの個数や発光色を容易に視認可能である。ＬＥＤの発光は制御部１１０によって制御され、例えば、端末装置１０が非装着状態になった場合には、赤色のＬＥＤを点滅させ、警告を発し、ユーザーに装着を促すといった用途に利用される。
また、表示部１５０は、制御部１１０の制御により、表示内容をロッカー番号から他の情報に切り替えることできる。例えば、生体情報測定部１１１により測定された生体情報や活動情報測定部１１３により測定された活動量などの情報を表示することが可能である。
尚、表示部１５０は、端末表示部に相当する。
【００６７】
操作部１６０は、ユーザーにより意図して端末装置１０に所定の操作が加えられたことを検出する機能部である。所定の操作は、例えば、端末装置１０の表面を３回タップ（軽く叩く）するという操作であり、操作部１６０はその操作を検出した場合に、表示部１５０の表示内容を切り替える。詳しくは、操作部１６０は、加速度センサーやジャイロセンサーから出力される加速度信号や角速度信号の出力信号のパターンからタップが３回連続されたことを検出することができる。操作部１６０は、３回連続のタップを検出し制御部１１０に出力すると、制御部１１０は、表示部１５０の表示内容をロッカー番号から、測定した脈拍数に切り替える。同様な操作の繰り返しにより、表示内容は、ロッカー番号、脈拍数、活動量、ロッカー番号と切り替えられる。尚、操作部１６０は、端末装置１０の外面に設けられた操作ボタンやスイッチ、表示部１５０の表面部に備えられたタッチパネルであっても良い。
【００６８】
時計部１７０は、リアルタイムクロックであり、脈波センサー、加速度センサー、ジャイロセンサーなどに用いられるサンプリング時間の発生、カレンダー機能、時計機能、ストップウォッチ機能などの時計に係る機能を有している。時計部１７０が計時している日時、時間などの計時データは、制御部１１０により読み出される。
【００６９】
通信部１８０は、好適例として消費電力を抑えた近距離無線アダプターであり、送受信機３と無線通信７を介してデータの送受信を行う無線ＬＡＮアダプター、ロッカー２０と近距離無線８を介して通信するブルートゥース（Bluetooth（登録商標））アダプターなどから構成される。無線ＬＡＮアダプターでは、ＩＰを用いてネットワーク５に接続されているロッカー２０、サーバー３０を含む外部機器と各種データの送受信を行う。ブルートゥースアダプターでは、ブルートゥースプロトコルを用いて、記憶部１２０のロッカー番号データ１２４に記憶されたロッカー番号を有するロッカー２０と通信が行われる。
ブルートゥースアダプターでは、無線ＬＡＮアダプターよりも通信距離が短く、端末装置１０およびロッカー２０との間で電波の飛距離が短く設定された送信出力クラスが用いられる。通信部１８０では、ロッカー２０とブルートゥースアダプターの通信中に、ロッカー２０と端末装置１０との距離が離れたことにより電波を受信できなくなったことを検出する機能を備えている。
尚、通信部１８０は、端末通信部に相当し、端末装置１０およびロッカー２０との間で設定された電波の飛距離は、所定距離に相当する。
【００７０】
（ロッカー２０の構成）
ロッカー２０は、制御部２１０、記憶部２２０、表示部２５０、操作部２６０、および通信部２８０などから構成されている。
制御部２１０は、ＣＰＵ等のプロセッサーを有して構成され、ロッカー２０の各部を統括的に制御する制御装置および演算装置である。制御部２１０は、記憶部２２０に記憶された各種プログラムに従ってロッカー２０の各機能を実現する。
制御部２１０は、開施錠部２１１などを機能部として有する。但し、これらの機能部はあくまでも一例であり、必ずしも全ての機能部を必須要件としなくても良い。また、これら以外の機能部を構成しても良い。
【００７１】
開施錠部２１１は、ロック構造部２１３（図１）を含み構成され、ロック構造部２１３を制御しロックの開錠および施錠を行う。
ロック構造部２１３は、ロッカー２０の扉のロックを開施錠する機構であり、扉側に設けられた回転式の金属板を回転軸を中心に回転させることにより、金属板をロッカー２０の収納部側の一部に嵌合させ、扉を施錠する。回転軸の動力は、モーターなどの駆動部から供給され、開施錠部２１１は、モーターの駆動制御を行うことで開錠と施錠の動作を行う。尚、ロック構造部２１３は、このような構造に限定されない。ロッカー２０の収納部を閉じて外部から容易に収納部内の物品が取り出せないようなロック構造を有し、ロック構造の開施錠を電動制御できる構造であれば良い。
【００７２】
開施錠部２１１は、端末装置１０と通信を行い開施錠に係わる動作を決定し開施錠を行う。詳しくは、端末装置１０から受信した情報に基づいて開錠に係わる動作（以降、開錠動作と称す）を決定する。尚、開錠動作は、開錠に係わる操作手順に相当する。
開施錠部２１１の開錠動作を決定する処理では、通信部２８０を介して端末装置１０から端末装置１０に登録されているロッカー番号を受信する。ロッカー２０では、予めロッカー番号が割り振られており、それぞれのロッカー２０の記憶部２２０にロッカー番号データ２２４として格納されている。開施錠部２１１では、端末装置１０から受信したロッカー番号とロッカー番号データ２２４のロッカー番号が一致した場合に、開錠動作を決定する処理に移行する。
【００７３】
ロッカー番号が一致すると、端末装置１０からユーザーＩＤを受信する。ロッカー２０は、ユーザーＩＤデータ２２１のユーザーＩＤと比較照合する。ユーザーＩＤデータ２２１のユーザーＩＤは、サーバー３０においてロッカー番号に対応付けられたユーザーＩＤである。ユーザーＩＤが一致した場合に、評価結果を受信する処理に移行する。以降に実行される端末装置１０およびロッカー２０間における各種データの送受信を行う通信処理においては、通信データのヘッダー部にユーザーＩＤが付加され、都度ユーザーＩＤの照合が行われる。
開施錠部２１１は、評価結果を受信すると、評価結果に含まれる信頼度１３３７の情報を用いて、開錠動作定義テーブル２３３に示される定義内容と比較して開錠に係わる動作を決定する。
【００７４】
図３（ｂ）は、開錠動作定義テーブル２３３の一例を示す図である。信頼度２３３１は、本人である信頼度を示す割合である。開錠動作２３３３は、信頼度２３３１の信頼度の割合毎に異なる開錠に係わる動作が定義されている。開施錠部２１１は、開錠動作２３３３に定義された動作内容を受けて、それぞれの動作内容を実行する処理が記述されたプログラムを記憶部２２０から読み込み実行する。
開施錠部２１１は、端末装置１０から評価結果を受信すると、評価結果に含まれる信頼度の割合を信頼度２３３１の内容と比較する。
信頼度２３３１が、１００％である場合は、開錠動作２３３３は「開錠」であり、開錠の処理が実行され、ロック構造部２１３のロックが開錠される。
信頼度２３３１が、５０％である場合は、開錠動作２３３３は「生年月日入力」であり、生年月日をユーザーに入力させる処理が実行される。具体的には、表示部２５０および操作部２６０を制御して、ユーザーに生年月日を入力させる。開施錠部２１１は、ユーザーＩＤの生年月日をサーバー３０から取得して比較し、一致した場合はロック構造部２１３のロックを開錠する。一致しなかった場合は、信頼度２３３１が０％である場合の処理に移行する。
信頼度２３３１が０％である場合は、開錠動作２３３３は「初期認証」であり、サーバー３０の初期認証部３１１による本人認証を行う必要があることを示す。開施錠部２１１は、ロックが施錠された状態で、表示部２５０に本人認証の実施をユーザーに指示する旨の文言を表示する。
【００７５】
開施錠部２１１の施錠動作を決定する処理では、通信部２８０によって、端末装置１０との距離が所定距離を越えたことが検出された場合に、ロック構造部２１３のロックを施錠する。尚、開施錠部２１１は、操作部２６０および表示部２５０を制御して、ユーザーの操作によりロック構造部２１３のロックを施錠する機能を備えても良い。
尚、開施錠部２１１の開錠動作を決定する処理の詳細については、フローチャート（図６）を用いて後述する。
尚、開施錠部２１１は、開施錠部に相当する。
【００７６】
記憶部２２０は、ＲＯＭ（Read Only Memory）やフラッシュＲＯＭ、ＲＡＭ（Random Access Memory）、ＨＤＤ（Hard Disk Drive）等の記憶装置によって構成され、制御部２１０の各機能部を実現するための各種プログラム、データ等を記憶している。また、各種処理の処理中データや変数の値、処理結果などを一時的に記憶するワークエリアを有する。
記憶部２２０には、ユーザーＩＤデータ２２１、ロッカー番号データ２２４、生体情報データ２２５、活動情報データ２２７、評価結果データ２３１、開錠動作定義テーブル２３３などが格納されている。
【００７７】
ユーザーＩＤデータ２２１は、サーバー３０においてロッカー番号と対応付けられて発行されたユーザーＩＤが格納されているデータファイルである。
ロッカー番号データ２２４は、予めロッカー２０設置時に決められたロッカー番号、またはサーバー３０により管理されるロッカー番号が格納されているデータファイルである。
生体情報データ２２５は、端末装置１０から送信された生体情報が格納されているデータファイルである。
活動情報データ２２７は、端末装置１０から送信された活動情報が格納されているデータファイルである。
評価結果データ２３１は、端末装置１０から送信された評価結果が格納されているデータファイルである。
開錠動作定義テーブル２３３は、評価結果データ２３１が示す評価結果に基づいてロック構造部２１３のロックの開錠に係わる動作が定義されたテーブルである。開錠動作定義テーブル２３３は、予め端末装置１０の記憶部１２０に格納されている。尚、予め格納された開錠動作定義テーブル２３３の信頼度２３３１および開錠動作２３３３の内容は、サーバー３０からの指示により変更、更新される構成であっても良い。
【００７８】
表示部２５０は、ロッカー２０の扉の表側に備えられ、好適例として液晶パネルを採用している。また、表示部２５０は、制御部２１０の制御により、各種表示画面を液晶パネルに表示する。各種表示画面において、ユーザーがロッカールームに立ち寄る機会に合わせて有益な内容となる情報が選択され提供される。各種表示画面の表示例については、図７を用いて後述する。
尚、表示部２５０は、ロッカー表示部に相当する。
【００７９】
操作部２６０は、好適例として表示部２５０の液晶パネルの表示面に配置されるタッチパネルを採用している。
【００８０】
通信部２８０は、端末装置１０と通信する近距離無線アダプターと、サーバー３０とネットワーク５を介して通信するＬＡＮアダプターとを有している。近距離無線アダプターは、端末装置１０と近距離無線８を介して通信する共通のブルートゥースアダプターであり、ブルートゥースプロトコルを用いて、端末装置１０と通信が行われる。ブルートゥースアダプターでは、通信距離が短く、端末装置１０およびロッカー２０との間で電波の飛距離が短く設定された送信出力クラスが用いられる。通信部２８０では、端末装置１０とブルートゥースアダプターによる通信中に、ロッカー２０と端末装置１０との距離が離れたことにより電波を受信できなくなったことを検出する機能を備えている。
ＬＡＮアダプターは、プロトコルとしてＩＰを用いて各種データの送受信を行う。
尚、通信部２８０は、ロッカー通信部に相当する。
【００８１】
（サーバー３０の構成）
サーバー３０は、制御部３１０、記憶部３２０、表示部３５０、操作部３６０、通信部３８０などから構成されている。
制御部３１０は、ＣＰＵ等のプロセッサーを有して構成され、サーバー３０の各部を統括的に制御する制御装置および演算装置である。制御部３１０は、記憶部３２０に記憶された各種プログラムに従ってサーバー３０の各機能を実現する。また、ロッカーシステム１において、端末装置１０、ロッカー２０を含む各装置を連携させ、システムを統合的に管理する。
制御部３１０は、初期認証部３１１、ユーザー管理部３１３などを機能部として有する。但し、これらの機能部は、あくまでも一例であり、必ずしも全ての機能部を必須要件としなくても良い。また、これら以外の機能部を構成しても良い。
【００８２】
初期認証部３１１は、ユーザーの本人認証を行う。詳しくは、施設の受付などにおいてユーザーに端末装置１０を貸与する際に、ユーザーが予めサーバー３０のデータベースであるユーザーＤＢ３２１に登録されているユーザーであることを確認する。または、ユーザーが登録されていなければ、新規のユーザー登録作業が行われる。
ユーザーの本人認証は、ユーザーが持参する会員カードなどに印刷されている写真、またはサーバー３０で管理しているユーザーＤＢ３２１に格納されている写真と、受付に来たユーザー本人とが同一人物であるか照合する。受付に来たユーザー本人を撮像した画像と、ユーザーＤＢ３２１に格納されている写真の画像とを公知の顔認証システムを用いて認証する方法であっても良い。
ユーザーの本人認証がされると、該当ユーザーに対して固有のユーザーＩＤを発行する。ユーザーＩＤは、ユーザーＤＢ３２１において管理されるユーザーを特定するための主キーであっても良い。ユーザーＩＤは、ロッカーシステム１（端末装置１０、ロッカー２０、サーバー３０）においてで、ユーザーを特定することが可能なユーザー固有のＩＤである。初期認証部３１１は、ユーザーＩＤを有するユーザーに貸与するロッカー２０のロッカー番号を決定し、ユーザーＩＤとロッカー番号を端末装置１０に送信する。また、決定したロッカー番号を有するロッカー２０に対して、そのロッカー２０を利用するユーザーのユーザーＩＤを送信する。このようにして、端末装置１０とロッカー２０とサーバー３０との間で共通のユーザーＩＤとロッカー番号を共有することにより、端末装置１０とロッカー２０とサーバー３０とを対応付けている。
尚、初期認証部３１１は、初期認証部に相当する。
【００８３】
ユーザー管理部３１３は、ユーザーＤＢ３２１を管理する。詳しくは、ユーザーＤＢ３２１は、ロッカーシステム１で管理する全てのユーザーの情報が管理されている。ユーザーの新規登録処理、ユーザーの削除処理、ユーザーの検索処理、ユーザーに関する情報を取得する処理などの機能を備えている。例えば、ユーザー管理部３１３は、初期認証部３１１からユーザー検索要求を受けると、ユーザーＤＢ３２１を検索し、該当ユーザーの写真画像やユーザーＩＤを返す。
また、ユーザー管理部３１３は、管理する全てのユーザー情報を用いて、所定期間におけるユーザーの活動情報や生体情報などの様々な情報毎に、特定のユーザーのランキング情報を算出する。例えば、特定のユーザーにおいて、当日の１０：００から１２：００の時間帯に運動中の消費カロリーが何人中何番目に多かったか、などのランキング情報が算出される。
尚、ユーザー管理部３１３は、ユーザー管理部に相当する。
【００８４】
記憶部３２０は、ＨＤＤ、ＲＯＭ、フラッシュＲＯＭ、ＲＡＭ等の記憶装置によって構成され、制御部３１０の各機能部を実現するための各種プログラム、データ等を記憶している。また、ＨＤＤにはユーザーＤＢ３２１、ロッカー管理ＤＢ３３５などのデータベースが構築されている。
【００８５】
ユーザーＤＢ３２１は、ユーザーＩＤデータ３２３のユーザーＩＤを主キーとしてユーザー情報３２５を管理する。ユーザー情報３２５は、ユーザー基本データ３２７をリレーショナルデータベース形式で管理している。ユーザー基本データ３２７には、例えば、ユーザーＩＤのユーザーの生年月日、性別、身長、体重などのデータが格納されている。
【００８６】
ロッカー管理ＤＢ３３５は、ロッカー２０のロッカーの稼動状態を統括的に管理している。ロッカー管理ＤＢ３３５は、ロッカー番号データ３３６を主キーとして、ロッカー番号毎に利用中か、未使用か、設備の故障の有無、などの状況を返す。初期認証部３１１から空きロッカー情報の取得要求があると、ロッカー管理ＤＢ３３５は、未使用のロッカー番号を検索してロッカー番号の情報を返す。
尚、記憶部３２０は、サーバー記憶部に相当する。
【００８７】
表示部３５０は、好適例として液晶パネルを採用している。なお、表示面にタッチパネルを備えていても良い。
操作部３６０は、キーボード、マウスなどの入力装置である。
通信部３８０は、ネットワークアダプターであり、ロッカー２０とネットワーク５を介して通信し、端末装置１０と送受信機３を介して各種データを送受信する。
尚、通信部３８０は、サーバー通信部に相当する。
【００８８】
（ロッカーシステム１の処理フロー）
図４、図５、図６、および図７を用いて、ロッカーシステム１における端末装置１０、ロッカー２０、サーバー３０のそれぞれの制御部１１０、制御部２１０、制御部３１０において連携してロッカー２０のロック構造部２１３のロックを開錠し、ロッカー２０の表示部２５０にユーザーにとって有益な情報を表示する処理の一例を説明する。
尚、ロッカーシステム１の処理フローは、運動管理方法に相当する。
【００８９】
（サーバー３０の初期認証の処理フロー）
図４は、サーバー３０による初期認証処理の一部を示すフローチャート図である。本フローは制御部３１０がサーバー３０の記憶部３２０、通信部３８０を含む各部を制御することで処理されるフローであり、初期認証部３１１の機能の一部が実現される。
尚、サーバー３０の初期認証の処理フローは、初期認証工程に相当する。
【００９０】
ステップＳ３１０では、ユーザー本人の認証を行う。詳しくは、受付対象のユーザーが、予めサーバー３０のユーザーＤＢ３２１に登録されているユーザーであることを確認する。
ステップＳ３２０では、ユーザーＩＤと基本データを取得する。詳しくは、ユーザーＤＢ３２１からユーザーＩＤとユーザー情報３２５を取得する。ユーザー情報３２５には、ユーザー基本データ３２７から取得されたユーザーＩＤのユーザーにおける年齢、性別、体重、身長の情報が含まれている。
ステップＳ３３０では、空きロッカー番号を取得する。詳しくは、ロッカー管理ＤＢ３３５から未使用のロッカー番号を検索し取得する。
ステップＳ３４０では、ユーザーＩＤ、基本データ、ロッカー番号を送信する。ステップＳ３２０〜Ｓ３３０で取得したユーザーＩＤ、基本データ、ロッカー番号を端末装置１０に送信する。
【００９１】
（端末装置１０の制御処理フロー）
図５は、端末装置１０による認証評価処理の一部を示すフローチャート図である。本フローは、端末装置１０の制御部１１０が端末装置１０の記憶部１２０、センサー部１４０を含む各部を制御することで処理されるフローであり、生体情報測定部１１１、活動情報測定部１１３、認証評価部１１５の機能の一部が実現される。
【００９２】
ステップＳ１１０では、ユーザーＩＤ、基本データ、ロッカー番号を受信する。詳しくは、ステップＳ３４０（図４）においてサーバー３０より送信されたユーザーＩＤ、基本データ、ロッカー番号を受信する。
【００９３】
ステップＳ１２０では、ユーザーＩＤと基本データを格納する。詳しくは、ユーザーＩＤと基本データを記憶部１２０のユーザーＩＤデータ１２１、ユーザー基本データ１２３に格納する。
【００９４】
ステップＳ１２５では、ロッカー番号を表示部に表示する。詳しくは、取得したロッカー番号をロッカー番号表示部１５１に表示する。また、ロッカー番号を記憶部１２０のロッカー番号データ１２４に格納する。
【００９５】
ステップＳ１３０では、生体情報の測定が行われる。詳しくは、生体情報測定部１１１の機能が実現されるサブルーチンプログラムが実行され、脈拍数を含む生体情報データが取得される。取得した生体情報データは、記憶部１２０の生体情報データ１２５に格納される。尚、ステップＳ１３０は、生体情報取得工程に相当する。
【００９６】
ステップＳ１４０では、活動情報の測定が行われる。詳しくは、活動情報測定部１１３の機能が実現されるサブルーチンプログラムが実行され、活動量情報、位置情報、運動種別情報、装着圧情報などの活動情報データが取得される。取得した活動情報データは、記憶部１２０の活動情報データ１２７に格納される。尚、ステップＳ１４０は、活動情報取得工程に相当する。
【００９７】
ステップＳ１５０では、ロッカー番号のロッカーを検出したか否か判定する。詳しくは、通信部１８０から発信された信号に応答してロッカー２０の通信部２８０から応答信号を受信すると、ロッカー番号データ１２４に格納されたロッカー番号と、ロッカー２０のロッカー番号が一致するか否か判定する。一致した場合は（ステップＳ１５０；Ｙｅｓ）、ステップＳ１６０に進む。一致しなかった場合は（ステップＳ１５０；Ｎｏ）、ステップＳ１３０に戻り、ステップＳ１３０〜Ｓ１５０を繰り返す。ステップＳ１３０〜Ｓ１５０は、一定期間毎（例えば１秒から４秒間隔）に繰り返される。
【００９８】
ステップＳ１６０では、ユーザー認証の再評価が行われる。詳しくは、認証評価部１１５の機能部が実現されるサブルーチンプログラムが実行され、ユーザーが本人である信頼度１３３７（図３（ａ））の割合を含む評価結果が導出される。評価結果は、記憶部１２０の評価結果データ１３１に格納される。尚、ステップＳ１６０は、認証評価工程に相当する。
【００９９】
ステップＳ１７０では、ユーザーＩＤと評価結果を送信する。詳しくは、記憶部１２０に格納したユーザーＩＤデータ１２１と評価結果データ１３１のデータをロッカー２０に送信する。
【０１００】
（ロッカー２０の開錠の処理フロー）
図６は、ロッカー２０による開施錠処理の一部を示すフローチャート図である。図７は、ロッカーの表示部２５０における表示例を表す図である。図７（ａ）は、運動開始前の表示画面Ｄ１０、（ｂ）は運動中または運動後に確認する表示画面Ｄ２０、（ｃ）は、簡易認証の表示画面Ｄ３０、（ｄ）は初期認証へ誘導する表示画面Ｄ４０である。
図６に示すフローは、ロッカー２０の制御部２１０がロッカー２０の記憶部２２０、表示部２５０を含む各部を制御することで処理されるフローであり、開施錠部２１１の機能の一部が実現される。尚、本フローの開始にあたっては、端末装置１０およびロッカー２０の間においてロッカー番号は照合済みであり、それぞれが共通のロッカー番号を有しているものとする。
尚、以下のフローは開施錠工程、およびロッカー表示工程に相当する。
【０１０１】
ステップＳ２１０では、ユーザーＩＤと評価結果を受信する。詳しくは、ステップＳ１７０（図５）において端末装置１０から送信されたユーザーＩＤと評価結果を受信する。
【０１０２】
ステップＳ２２０では、評価結果から信頼度を取得する。詳しくは、評価結果に含まれる信頼度の割合として、１００％、５０％、０％のいずれかの値が取得される。
【０１０３】
ステップＳ２３０では、信頼度の割合によって処理を分岐する。詳しくは、信頼度が１００％の場合は（ステップＳ２３０；Ｃ１）、ステップＳ２４０に進む。信頼度が５０％の場合は（ステップＳ２３０；Ｃ２）、ステップＳ２７０に進む。信頼度が０％の場合は（ステップＳ２３０；Ｃ３）、ステップＳ２８０に進む。
【０１０４】
ステップＳ２４０では、ロッカー２０を開錠する。詳しくは、ユーザーの本人認証の評価において本人である信頼度が１００％（ステップＳ２３０；Ｃ１）であるため、安全性が高いと判断され、ロッカー２０のロック構造部２１３のロックを開錠する。
【０１０５】
ステップＳ２４５では、ロッカー２０の使用が１回目か否か判定する。詳しくは、ユーザーがロッカー２０を始めて使用するか否かを判定し、初めて使用する場合は（ステップＳ２４５；Ｙｅｓ）、ステップＳ２５０に進む。２回目以降の使用の場合は（ステップＳ２４５；Ｎｏ）、ステップＳ２５５に進む。尚、ロッカー２０を使用する回数は、端末装置１０を利用しているユーザーにより開錠が成功した場合にカウントされ記憶部２２０に格納されている。
【０１０６】
ステップＳ２５０では、表示画面Ｄ１０を表示する。詳しくは、表示画面Ｄ１０の表示内容は、「本日のおすすめプログラム」に関する内容であり、ユーザーはロッカー２０を初めて使用する機会、つまり運動を開始する前に確認する。表示画面Ｄ１０の表示内容は、サーバー３０においてユーザー情報３２５やフィットネスクラブの計画情報などに基づいて作成されている。ロッカー２０からサーバー３０に対して送信要求が送られると、サーバー３０は、ユーザーＩＤのユーザーに適した表示内容を作成しロッカー２０に送信する。ロッカー２０は、表示部２５０に受信した表示内容を表示する。
【０１０７】
ステップＳ２５５では、生体情報と活動情報を取得する。詳しくは、ロッカー２０の通信部２８０を介して端末装置１０において測定された生体情報と活動情報を受信する。受信した生体情報と活動情報を、記憶部２２０に、生体情報データ２２５および活動情報データ２２７として格納する。
【０１０８】
ステップＳ２６０では、表示画面Ｄ２０を表示する。詳しくは、表示画面Ｄ２０の表示内容は、ユーザーの「消費カロリー」「最大脈拍数」「運動負荷状態」に関する内容であり、ステップＳ２５５で取得した生体情報および活動情報の内容に基づいて作成された文言を表示している。また、表示画面Ｄ２０には、「次のページ」ボタンＤ２０１が表示されており、ボタンＤ２０１のタッチパネル部分をタッチすることにより、更に情報を表示することができる。表示される情報は、端末装置１０から取得した生体情報や活動情報として「歩数」、「走行距離」、「泳いだ距離」などの活動距離の情報や「活動時間」などの情報であっても良い。また、端末装置１０からの情報に限らず、サーバー３０から表示用の情報を受信して作成されても良い。例えば、サーバー３０のユーザー管理部３１３により算出されたランキング情報などの情報であっても良い。尚、ユーザーのランキング情報の中から最も高い順位のランキング情報から順番に表示されても良い。
【０１０９】
ステップＳ２７０では、表示画面Ｄ３０を表示する。詳しくは、ユーザーの本人認証の評価において本人である信頼度が５０％（ステップＳ２３０；Ｃ２）であり、安全性は高くないため、簡易認証の表示画面Ｄ３０を表示し、ユーザーの簡易認証を行う。表示画面Ｄ３０の表示内容は、「生年月日の入力」に関する内容であり、生年月日入力部Ｄ３０１と生年月日表示部Ｄ３０３と開錠実行ボタンＤ３０５とを有している。ユーザーは、生年月日入力部Ｄ３０１のタッチパネル部分をタッチして、ユーザー自身の生年月日を入力する。入力された生年月日は生年月日表示部Ｄ３０３に表示される。
【０１１０】
ステップＳ２７５では、生年月日が一致するか否か判定する。詳しくは、表示画面Ｄ３０においてユーザーにより入力された生年月日は、サーバー３０のユーザー情報３２５に送信され照会が行われる。照会の結果、生年月日が一致した場合は（ステップＳ２７５；Ｙｅｓ）、開錠実行ボタンＤ３０５のタッチパネル部分のタッチにより、ステップＳ２４０に進みロック構造部２１３のロックを開錠する。一致しなかった場合は（ステップＳ２７５；Ｎｏ）、ステップＳ２８０に進む。尚、ステップＳ２７０およびステップＳ２７５における表示および判定は「生年月日」に限定されない。例えば、ユーザーだけが知っている質問を予め登録しておき、その質問をステップＳ２７０で表示しユーザーに答えを入力させ、答えをステップＳ２７５において一致するか否か判定しても良い。
【０１１１】
ステップＳ２８０では、表示画面Ｄ４０を表示する。詳しくは、ユーザーの本人認証の評価において本人である信頼度が０％（ステップＳ２３０；Ｃ３）であり、ユーザー以外の人物による開錠操作の虞があると判断され、表示画面Ｄ４０を表示し、ユーザーを初期認証へと導く。表示画面Ｄ４０の表示内容は、「受付で再度手続きをしてください。」という内容であり、ユーザーを受付まで誘導し、サーバー３０による初期認証部３１１が実行され、再度ユーザーの本人認証が行われる。
【０１１２】
以上述べたように、本実施形態に係わるロッカーシステム１によれば以下の効果を得ることができる。
端末装置１０はユーザーに装着され、ユーザーの生体情報や活動情報を取得する。サーバー３０は、ユーザーの本人認証を行いユーザーＩＤを発行し、ユーザーＩＤとユーザーが使用するロッカー２０をロッカー番号で対応付ける。ロッカー２０は、対応付けられたユーザーＩＤが設定された端末装置１０からユーザーの生体情報や活動情報を受信する。また、ロッカー２０は、表示部２５０を備え、表示部２５０は受信した生体情報や活動情報を表示する。
【０１１３】
このような構成により、ユーザーは、自身の生体情報や活動情報を確認するために、ロッカールームから出て測定機器の設置場所まで出向く必要は無く、自身が使用しているロッカー２０が設置されているロッカールームにおいて確認できるようになる。
従って、ロッカールームに設置されるユーザーが使用しているロッカー２０においてユーザーの生体情報や活動情報を確認できるロッカーシステム１を提供することができる。
【０１１４】
また、端末装置１０が生成した評価結果を用いて、ロッカー２０はロック構造部２１３の開施錠を制御することができる。端末装置１０が収集した活動情報に基づいて、認証評価テーブル１３３および開錠動作定義テーブル２３３を参照することで、端末装置１０が非装着にされ、非装着にされていた期間が一定期間以上であれば、端末装置１０が別のユーザーに所持された虞が少なからずともあるとして、ロッカー２０はロック構造部２１３を制御して開錠させないことができる。また、例えば、端末装置１０の装着が継続されていた場合は、端末装置１０は別のユーザーに装着された虞は極めて少ないため、ロッカー２０はロック構造部２１３を制御して開錠させることができる。このような構成により、安全性と利便性の両方を備えたロッカーシステム１を提供することができる。
【０１１５】
（変形例１）
上述の実施形態では、端末装置１０の生体情報測定部１１１は、ユーザーの生体情報を端末装置１０において測定する構成であったが、この構成に限定されない。生体情報測定部１１１および活動情報測定部１１３は、端末装置１０が備えるセンサー部１４０では測定できない生体情報や活動情報を取得できる構成であっても良い。
図８は、変形例１におけるロッカーシステム１の概要を表す説明図である。図８に示すロッカーシステム１は、上述の実施形態に示した端末装置１０、ロッカー２０、サーバー３０、送受信機３、ネットワーク５、無線通信７に加えて、体重計５００、体組成計５１０、血圧計５２０、ランニングマシン５３０などの外部測定機器を備えている。これらの外部測定機器は、端末装置１０の通信部１８０と無線通信７または近距離無線８を介して各種データの送受信を行う。
【０１１６】
端末装置１０は、体重計５００において測定した体重情報を取得し、体組成計５１０から体脂肪情報を取得し、血圧計５２０から血圧情報および体温情報の生体情報を取得する。ランニングマシン５３０からはランニングスピードやランニング中の傾斜角度などの運動負荷に影響を与える活動情報を取得する。
このような構成により、フィットネスクラブ等の施設において、測定可能な生体情報と活動情報を取得することができ、ロッカー２０の表示部２５０に表示することができる。ユーザーは、多方面から自身の生体情報および活動情報を確認することができる。
【０１１７】
（変形例２）
上述の実施形態および変形例では、ロッカー２０の表示部２５０に表示する表示画面例として図７（ａ）〜（ｄ）を例示したが、これらの表示画面に限定しない。例えば、前回施設利用時の生体情報や運動情報の表示、運動指導に関する表示、当日のイベント情報やレッスンクラスに関する表示、健康指導に関する表示、販売用具に関する表示などの表示画面であっても良い。これらの表示内容は、ユーザーＩＤに基づいてサーバー３０から取得される。このような構成により、ユーザーの生体情報や活動情報、施設内における行動などに基づいて、ユーザーに適切な内容を適切な機会にユーザーに提供することができる。
【０１１８】
（変形例３）
上述の実施形態および変形例では、ロッカー２０の表示部２５０にユーザー表示情報を表示するとしていたが、その構成に限定しない。ユーザー表示情報は、サーバー３０の表示部３５０、施設内にネットワーク５により接続されているＰＣなどの外部機器の表示画面などに表示されても良い。サーバー３０の表示部３５０に表示される場合は、施設の管理者がユーザーのユーザーＩＤを入力することにより表示させることができる。また、施設内の外部機器においては、近距離無線８または無線通信７を介して端末装置１０と通信し、端末装置１０から評価結果を受信し、開施錠部２１１と同様な機能により評価結果を判定し、ユーザー表示情報を表示する。このような構成により、施設を管理する管理者や施設を利用するユーザーが、ロッカールームに限らず施設内の様々な場所でユーザー表示情報を確認することができる。
【０１１９】
（変形例４）
図１および図２を用いて説明する。
上述の実施形態および変形例では、ユーザーの各種情報を管理するサーバー３０を備える構成であったが、このような構成に限定されず、サーバー３０を備えない構成であっても良い。その場合は、図２に示すサーバー３０を構成する制御部３１０の機能部および記憶部３２０に記憶されるデータをロッカー２０に備えていれば良い。このような構成によれば、更に、サーバー３０とロッカー２０を接続していたネットワーク５および送受信機３においても備える必要はなくなり、端末装置１０およびロッカー２０の装備のみでより簡易にロッカーシステム１の設備を構築することができる。
【０１２０】
（変形例５）
図２および図４を用いて説明する。
上述の実施形態および変形例では、フィットネスクラブの受付などを例に、受付においてサーバー３０の初期認証部３１１（図２）が実行される構成としていたが、この構成に限定されない。受付において端末装置１０を渡されたユーザーが、ロッカー２０の位置に移動し、ロッカー２０において初期認証部３１１が実行されても良い。つまり、ロッカー２０において、図４に示す初期認証のフローが処理される。このような構成によって、ユーザーは自身で任意の空きロッカーを選択して、利用することが可能になる。
【０１２１】
（変形例６）
図２および図４を用いて説明する。
上述の実施形態および変形例に加えて、サーバー３０の初期認証部３１１（図２）は、インターネットを介して他のＰＣを経由して実行できる構成であっても良い。このような構成によれば、ユーザーが端末装置１０を施設以外においても常時装着している場合で、インターネットに接続可能なユーザーが所有するＰＣなどにおいて、施設以外の場所においても初期認証のフロー（図４）を処理することが可能になる。つまり、ユーザーが施設に入場する前に、初期認証を終了させロッカー番号を取得することができる。
【０１２２】
（変形例７）
図２を用いて説明する。
上述の実施形態および変形例では、ロッカー２０に開施錠部２１１を備える構成であったが、この構成に限定されない。開施錠部２１１のロック構造部２１３はロッカー２０を開施錠するために備え、ロック構造部２１３の開施錠を制御する機能部および記憶部２２０の各種データはサーバー３０側に設けられていても良い。この構成では、サーバー３０側からロッカー２０の開施錠に関する指示信号が送信される。ロッカー２０の制御部２１０は、通信部２８０において開施錠に関する指示信号を受信すると指示信号に基づいて開施錠を実行する。このような構成にすることにより、ロッカー２０側の構成要素や機能部を簡易にすることができる。
【符号の説明】
【０１２３】
１…ロッカーシステム、２…手首、３…送受信機、５…ネットワーク、７…無線通信、８…近距離無線、１０…端末装置、２０…ロッカー、３０…サーバー、１１０…制御部、１１１…生体情報測定部、１１３…活動情報測定部、１１５…認証評価部、１２０…記憶部、１２１…ユーザーＩＤデータ、１２３…ユーザー基本データ、１２４…ロッカー番号データ、１２５…生体情報データ、１２７…活動情報データ、１３１…評価結果データ、１３３…認証評価テーブル、１４０…センサー部、１５０…表示部、１５１…ロッカー番号表示部、１６０…操作部、１７０…時計部、１８０…通信部、２１０…制御部、２１１…開施錠部、２１３…ロック構造部、２２０…記憶部、２２１…ユーザーＩＤデータ、２２４…ロッカー番号データ、２２５…生体情報データ、２２７…活動情報データ、２３１…評価結果データ、２３３…開錠動作定義テーブル、２５０…表示部、２５１…ロッカー番号、２６０…操作部、２８０…通信部、３１０…制御部、３１１…初期認証部、３１３…ユーザー管理部、３２０…記憶部、３２１…ユーザーＤＢ、３２３…ユーザーＩＤデータ、３２５…ユーザー情報、３２７…ユーザー基本データ、３３５…ロッカー管理ＤＢ、３３６…ロッカー番号データ、３５０…表示部、３６０…操作部、３８０…通信部、５００…体重計、５１０…体組成計、５２０…血圧計、５３０…ランニングマシン。
【図１】
2016017331.tif 000003
【図２】
2016017331.tif 000004
【図３】
2016017331.tif 000005
【図４】
2016017331.tif 000006
【図５】
2016017331.tif 000007
【図６】
2016017331.tif 000008
【図７】
2016017331.tif 000009
【図８】
2016017331.tif 000010